(57)【要約】【課題】枠体の開口縁からパテ材がはみ出さないように塗り付けて、開口縁の周囲を綺麗に保つことができるようにする。【解決手段】埋込壁面１に形成された開口１ａに、反射板１７やランプ２０等が支持されたハウジング１１が嵌め込まれて固定されるとともに、ハウジング開口の枠体１２が埋込壁面１の外面に当てがわれるようになった埋込型照明器具１０Ａにおいて、枠体１２の開口縁１２ａに沿って形成された枠状小突起１２ｂの外回りと埋込壁面１とに跨って、段差が生じないようにパテ材５が塗り付けられ、その後、このパテ材５と埋込壁面１とに同系色の仕上げ塗装が施されている。【選択図】  図１
2005071618.tif 000002
【特許請求の範囲】
【請求項１】
埋込壁面に形成された開口に、反射板やランプ等が支持されたハウジングが嵌め込まれて固定されるとともに、上記ハウジングの開口部の枠体が埋込壁面の外面に当てがわれるようになった埋込型照明器具において、
上記枠体の開口縁に沿って枠状小突起が形成されていることを特徴とする埋込型照明器具。
【請求項２】
上記埋込型照明器具は、１灯または３灯タイプであって、各灯は、ユニバーサルジョイントによりスイング可能にハウジングで支持されている請求項１記載の埋込型照明器具。
【請求項３】
請求項１または２記載の埋込型照明器具の取付け施工方法であって、
上記枠体の枠状小突起の外回りと埋込壁面とに跨って、段差が生じないようにパテ材を塗り付け、その後、このパテ材と埋込壁面とに同系色の仕上げ塗装を施すようにしたことを特徴とする埋込型照明器具の取付け施工方法。
【請求項４】
上記枠体の枠状小突起の外回りと埋込壁面とに跨って寒冷沙を貼り付け、この寒冷沙の上から段差が生じないようにパテ材を塗り付ける請求項３記載の埋込型照明器具の取付け施工方法。
【発明の詳細な説明】
【０００１】
【発明の属する技術分野】
本発明は、埋込型照明器具およびその取付け施工方法に関する。
【０００２】
【従来の技術】
従来、図８（ａ）に示すように、例えば天井の埋込壁面１に形成された開口１ａに、反射板やランプ等が支持されたハウジング２が嵌め込まれて固定されるとともに、上記ハウジング２の下部の開口２ｂ〔図９（ａ）参照〕に嵌め込み固定された枠体３が埋込壁面１の外面に当てがわれるようになった天井埋込型照明器具４がある（例えば、特許文献１参照）。
【０００３】
このような埋込型照明器具４では、図８（ｂ）に示すように、天井の埋込壁面１に枠体３が見えるようになる。このような枠体３は、天井の埋込壁面１と同系色で着色されていて、目立ちにくいような考慮はされているが、色差や質感の相違によって枠体３の輪郭を完全に打ち消せるものではない。
【０００４】
そこで、図９（ａ）に示すように、枠体３と埋込壁面１とに跨って、段差が生じないようにパテ材５を塗り付け、その後、このパテ材５と埋込壁面１とに同系色（例えば白色）の仕上げ塗装を施すようにする施工方法が行われている。
【０００５】
この施工方法では、図９（ｂ）に示すように、天井の埋込壁面１に枠体３が目立ちにくくなるが、埋設壁面１から枠体３が厚み分だけ出っ張っているので、枠体３の輪郭を完全に打ち消せるものではない。
【０００６】
このため、図１０（ａ）に示すように、埋設壁面１に窪み１ｂを形成し、この窪み１ｂに枠体３を嵌め合わせて、枠体３を埋設壁面１とフラットにした上で、枠体３と埋込壁面１とに跨って、段差が生じないようにパテ材５を塗り付け、その後、このパテ材５と埋込壁面１とに同系色の仕上げ塗装を施すようにする施工方法が行われている。
【０００７】
【特許文献１】
特開平６−１３１９０７号公報
【０００８】
【発明が解決しようとする課題】
しかしながら、いずれの施工方法であっても、枠体３と埋込壁面１とに跨ってパテ材５を塗り付けるのは現場での作業であって、しかも１灯タイプの枠体３の内幅は、例えば１０ｃｍ角程度の狭いものであるから、枠体３の開口縁３ａに沿ってパテ材５を正確に塗り付けるのは非常に困難であるので、図１０（ｂ）に示すように、枠体３の開口縁３ａからパテ材５がはみ出して、はみ出したパテ材５ａで開口縁３ａの周囲が汚くなるという問題があった。
【０００９】
本発明は、上記問題を解消するためになされたもので、枠体の開口縁からパテ材がはみ出さないように塗り付けられて、開口縁の周囲を綺麗に保つことができる埋込型照明器具およびその取付け施工方法を提供することを課題とするものである。
【００１０】
【課題を解決するための手段】
上記課題を解決するために、本発明の請求項１は、埋込壁面に形成された開口に、反射板やランプ等が支持されたハウジングが嵌め込まれて固定されるとともに、上記ハウジングの開口部の枠体が埋込壁面の外面に当てがわれるようになった埋込型照明器具において、
上記枠体の開口縁に沿って枠状小突起が形成されていることを特徴とする埋込型照明器具を提供するものである。
【００１１】
請求項２のように、上記埋込型照明器具は、１灯または３灯タイプであって、各灯は、ユニバーサルジョイントによりスイング可能にハウジングで支持されている構成とすることができる。
【００１２】
本発明の請求項３は、請求項１または２記載の埋込型照明器具の取付け施工方法であって、
上記枠体の枠状小突起の外回りと埋込壁面とに跨って、段が生じないようにパテ材を塗り付け、その後、このパテ材と埋込壁面とに同系色の仕上げ塗装を施すようにしたことを特徴とする埋込型照明器具の取付け施工方法を提供するものである。
【００１３】
請求項４のように、上記枠体の枠状小突起の外回りと埋込壁面とに跨って寒冷沙を貼り付け、この寒冷沙の上から段差が生じないようにパテ材を塗り付ける構成が好ましい。
【００１４】
【発明の作用および効果】
本発明の請求項１および請求項３によれば、ハウジングの枠体の開口縁に沿って枠状小突起を形成することによって、枠体の枠状小突起の外回りと埋込壁面とに跨って、段差が生じないようにパテ材を塗り付け、その後、このパテ材と埋込壁面とに同系色の仕上げ塗装を施すことができる。
【００１５】
そして、パテ材を塗り付ける現場の作業においては、枠体の開口縁に枠状小突起があるから、この枠状小突起の外回りまでパテ材を塗り付けると、枠体の開口縁からパテ材がはみ出さないように塗り付けられるので、開口縁の周囲を綺麗に保つことができる。
【００１６】
上記枠状小突起自体は、例えば幅、高さとも１ｍｍ程度のもので良いことから、ほとんど目立つことがない。この点から、本発明の請求項１の枠体は、パテ材を塗り付けない従来の枠体〔図８（ａ）参照〕と同様に、埋込壁面の外面に当てがわれるだけの施工方法にも適用することができる。
【００１７】
また、埋込型照明器具を１灯または３灯タイプとして、各灯をユニバーサルジョイントにより全方向にスイング可能にハウジングで支持することにより（請求項２）、天井の埋込壁面に枠体が目立たなくなり、かつ開口縁の周囲を綺麗に保つことができることと相俟って、天井と調和した高級感あふれるスイング式ダウンライトを実現化することができる。
【００１８】
さらに、枠体の枠状小突起の外回りと埋込壁面とに跨って貼り付けた寒冷沙（細かいメッシュ状のシート）の上からパテ材を塗り付けるようにすれば（請求項４）、枠体と埋込壁面との段差を緩やかにできるとともに、パテ材の乗りが良くなって施工作業が容易に行えるようになる。
【００１９】
【発明の実施の形態】
以下、本発明の実施の形態を図面を参照して詳細に説明する。なお、先行技術と同一構成・作用の箇所は同一番号を付して詳細な説明は省略する。
【００２０】
図１および図２は、第１実施形態の１灯タイプの天井埋込型照明器具１０Ａであって、図１（ａ）は平面図、（ｂ）は要部断面正面図、図２（ａ）は底（下）面図、（ｂ）は要部断面側面図である。
【００２１】
上記天井埋込型照明器具１０Ａは、有頂正四角筒状のハウジング１１を備え、このハウジング１１の下部の開口１１ｂには、正四角状の枠体１２が内嵌めされてカシメピン等により固定されている。なお、枠体１２は、ハウジング１１と一体のものでも可能である。
【００２２】
上記ハウジング１１の外周の適所には複数個の抜け止め用係止具１３が設けられて、天井の埋込壁面１に形成された開口１ａにハウジング１１を嵌め込んだときに、上記枠体１２が埋込壁面１の外面に当てがわれるとともに、上記抜け止め具１３で埋込壁面１の内面を係止することにより、ハウジング１１が埋込壁面１に固定されるようになる。
【００２３】
上記枠体１２の開口縁１２ａには、図３に詳細に示すように、この開口縁１２ａに沿って枠状小突起１２ｂ形成されている。
【００２４】
上記ハウジング１１内には逆Ｕ字状のブラケット１４が配置され、このブラケット１４の上部１４ａは、垂直回動軸１５によりハウジング１１の頂面１１ａの内面で水平回りに回動可能に支持されている。
【００２５】
上記ブラケット１４の両側部１４ｂの間には、ランプソケット１６と反射板１７とを支持したランプハウジング１８が配置され、このランプハウジング１８の両側部は、水平回転軸１９により上記ブラケット１４の両側部１４ｂで垂直回りに回動可能に支持されている。上記ランプソケット１６には、例えば１個のハロゲン灯２０が取付けられている（１灯タイプ）。なお、ハロゲン灯２０に代えて、放電灯２１（図６参照）を取付けても良い。
【００２６】
上記垂直および水平回転軸１５，１９は、ユニバーサルジョイントを構成して、このユニバーサルジョイントにより、ランプハウジング１８は、全方向にスイング可能にハウジング１１で支持されることになる。
【００２７】
上記ハウジング１１の頂面１１ａの上面には、電源からの電線を差し込み接続するための端子台２２が取付けられ、この端子台２２とランプソケット１６の端子とはリード電線２３で接続されている。
【００２８】
上記のように構成した天井埋込型照明器具１０Ａを天井に取付け施工する際には、従来と同様にして、先ず、天井の埋込壁面１の開口１ａにハウジング１１を嵌め込み、枠体１２を埋込壁面１の外面に当てがって、抜け止め具１３によりハウジング１１を埋込壁面１に固定する。
【００２９】
そして、枠体１２と埋込壁面１とに跨って寒冷沙（細かいメッシュ状のシート）２４を貼り付け、この寒冷沙２４の上から段差が生じないようにパテ材５を塗り付け、その後、このパテ材５と埋込壁面１とに同系色の仕上げ塗装を施すようにする。
【００３０】
この施工方法によって、図４（ｂ）に示すように、天井の埋込壁面１に枠体３が目立ちにくくなる。
【００３１】
また、パテ材５を塗り付ける作業においては、枠体１２の開口縁１２ａに枠状小突起１２ｂがあるから、図３に示したように、この枠状小突起１２ｂの外回りまでパテ材５を塗り付けると、枠体１２の開口縁１２ａからパテ材５がはみ出さないように塗り付けられるので、開口縁１２ａの周囲を綺麗に保つことができる。
【００３２】
この枠状小突起１２ｂ自体は、例えば幅、高さとも１ｍｍ程度のもので良いことから、ほとんど目立つことがない。この点から、枠体１２は、パテ材５を塗り付けない従来の枠体〔図８（ａ）参照〕と同様に、埋込壁面１の外面に当てがわれるだけの施工方法にも適用することができる。
【００３３】
また、埋込型照明器具１０Ａを１灯タイプとして、ユニバーサルジョイント（垂直および水平回転軸１５，１９）により全方向にスイング可能にハウジング１１で支持したから、天井の埋込壁面１に枠体１２が目立たなくなり、かつ開口縁の周囲を綺麗に保つことができることと相俟って、天井と調和した高級感あふれるスイング式ダウンライトを実現化することができる。
【００３４】
さらに、寒冷沙２４上からパテ材５を塗り付けているから、枠体１２と埋込壁面１との段差を緩やかにできるとともに、パテ材５の乗りが良くなって施工作業が容易に行えるようになる。
【００３５】
なお、図４（ａ）に示すように、埋設壁面１に窪み１ｂを形成し、この窪み１ｂに枠体１２を嵌め合わせて、枠体１２を埋設壁面１とフラットにした上で、枠体１２と埋込壁面１とに跨って、段差が生じないようにパテ材５を塗り付け、その後、このパテ材５と埋込壁面１とに同系色の仕上げ塗装を施すようにすることもできる。
【００３６】
図５〜図７は、第２実施形態の３灯タイプの天井埋込型照明器具１０Ｂであって、図５は平面図、図６（ａ）は要部断面正面図、（ｂ）は底（下）面図、図７は要部断面側面図である。なお、上記天井埋込型照明器具１０Ａと同一構成・作用の箇所は同一番号を付して詳細な説明は省略する。
【００３７】
上記天井埋込型照明器具１０Ｂは、有頂長方形筒状のハウジング１１を備え、このハウジング１１の下部の開口１１ｂに固定された枠体１２の開口縁１２ａには枠状小突起１２ｂ形成されている。
【００３８】
上記長方形状のハウジング１１内には、それぞれが水平回りに回動可能に支持されたブラケット１４が長さ方向に所定の間隔で３個配置されて、この各ブラケット１４には、それぞれが垂直回りに回動可能に支持されたランプハウジング１８が配置されている。
【００３９】
上記各ランプハウジング１８のランプソケット１６の内、例えば中央位置のランプソケット１６にはハロゲン灯２０が取付けられ、その両側位置のランプソケット１６には放電灯２１がそれぞれ取付けられている（３灯タイプ）。なお、ハロゲン灯２０と放電灯２１の取付け位置や取付け個数は任意に選択することができる。
【００４０】
上記のように構成した天井埋込型照明器具１０Ｂでは、第１実施形態の天井埋込型照明器具１０Ａと同様の作用効果を奏することができるとともに、３灯をそれぞれユニバーサルジョイント（垂直および水平回転軸１５，１９）により全方向にスイング可能にハウジング１１で支持したから、天井と調和した高級感あふれるスイング式ダウンライトを実現化することができる。
【００４１】
上記実施形態は、１灯タイプと３灯タイプであった、２灯タイプや４灯以上のあっても良い。
【００４２】
上記実施形態では、天井の埋込壁面１であってが、横壁の埋込壁面にも適用することができる。
【図面の簡単な説明】
【図１】第１実施形態の天井埋込型照明器具であって、（ａ）は平面図、（ｂ）は要部断面正面図である。
【図２】第１実施形態の天井埋込型照明器具であって、（ａ）は底面図、（ｂ）は要部断面側面図である。
【図３】第１実施形態の天井埋込型照明器具の取付け施工後の枠体と埋込壁面であり、（ａ）は断面図、（ｂ）は拡大断面図である。
【図４】第１実施形態の天井埋込型照明器具であり、（ａ）は取付け施工後の枠体と埋込壁面の断面図、（ｂ）は下方から見上げた斜視図である。
【図５】第２実施形態の天井埋込型照明器具の平面図である。
【図６】第２実施形態の天井埋込型照明器具であって、（ａ）は要部断面正面図、（ｂ）は底（下）面図である。
【図７】第２実施形態の天井埋込型照明器具の要部断面側面図である。
【図８】従来の天井埋込型照明器具であり、（ａ）は側面断面図、（ｂ）は斜視図である。
【図９】従来の天井埋込型照明器具であり、（ａ）は取付け施工後の枠体と埋込壁面の断面図、（ｂ）は下方から見上げた斜視図である。
【図１０】従来の天井埋込型照明器具の取付け施工後の枠体と埋込壁面であり、（ａ）は断面図、（ｂ）は拡大断面図である。
【符号の説明】
１      埋込壁面
１ａ    開口
１ｂ    窪み
５      パテ材
１０Ａ，１０Ｂ  天井埋込型照明器具
１１  ハウジング
１２    枠体
１２ａ  開口縁
１２ｂ  枠状小突起
１５，１９  ユニバーサルジョイント
１６    ランプソケット
１７    反射板
２０    ハロゲン灯
２１    放電灯
２４    寒冷沙
【図１】
2005071618.tif 000003
【図２】
2005071618.tif 000004
【図３】
2005071618.tif 000005
【図４】
2005071618.tif 000006
【図５】
2005071618.tif 000007
【図６】
2005071618.tif 000008
【図７】
2005071618.tif 000009
【図８】
2005071618.tif 000010
【図９】
2005071618.tif 000011
【図１０】
2005071618.tif 000012